(57)【特許請求の範囲】
【請求項１】
被写体の種別に応じた複数の撮影モードが設定可能なカメラ装置であって、
前記撮影モード毎に応じて撮影時における装置の撮影条件を制御する制御手段と、
前記撮影モードに対応した複数の見本画像と撮影条件の内容とを説明する説明情報とを記憶する記憶手段と、
この記憶手段に記憶された見本画像とこの見本画像に対応する説明情報とを表示する表示手段と、
この表示手段に表示された前記見本画像を選択する選択手段と、
この選択手段により選択された見本画像に対応する撮影モードを設定する設定する設定手段と
を備えたことを特徴とするカメラ装置。
【請求項２】
使用者の要求に応じ、前記表示手段における前記複数の見本画像の表示順を前記選択手段により過去に選択された履歴順に制御する表示制御手段
を備えたことを特徴とする請求項１記載のカメラ装置。
【請求項３】
前記見本画像に対応する前記説明情報を前記記憶手段から読み出し前記見本画像と共に同一画面上に並べて前記表示手段に表示させる表示制御手段を備えたことを特徴とする請求項１又は２記載のカメラ装置。
【請求項４】
前記記憶手段は、前記記憶手段に記憶された各見本画像に対応した、シーン説明またはアドバイス情報または制御説明を含む前記説明情報を記憶することを特徴とする請求項１乃至３記載のカメラ装置。
【請求項５】
さらに、被写体を撮像する撮像手段と、
この撮像手段により撮影待機状態で撮像されたスルー画像を表示する前記表示手段と、
前記選択手段により選択された見本画像が所定の見本画像であるとき、前記スルー画像内に、前記選択手段により選択された見本画像に対応する被写体の撮影に適する画面構成を示すフレーム画像を表示させる制御手段と
を備えたことを特徴とする請求項１乃至４のいずれかに記載のカメラ装置。
【請求項６】
さらにオートフォーカス手段を備え、
前記制御手段は、前記フレーム画像により示されるスルー画像の所定領域内にフォーカス位置を設定するとともに、設定したフォーカス位置を示すフォーカスマークを前記スルー画像に表示させることを特徴とする請求項５記載のカメラ装置。
【請求項７】
被写体内に設定された測光位置をスポット測光し、その測光結果に基づき露出制御を行う自動露出制御手段を備え、前記制御手段は、前記フレーム画像により示されるスルー画像の所定領域内に前記測光位置を設定することを特徴とする請求項５又は６記載のカメラ装置。
【請求項８】
撮影した画像を画像データとして記録する画像記憶手段と、
撮影条件と撮影条件に対応した見本画像と撮影条件に対応したシーン説明またはアドバイス情報または制御説明を含む付加情報とを記憶する撮影条件記憶手段と、
撮影条件に対応した付加情報と撮影条件に対応した見本画像とを表示する表示手段と、
この撮影条件記憶手段に記憶されている撮影条件であって、前記表示手段に表示された見本画像および付加情報に対応する撮影条件を、使用者の要求に応じ装置の撮影条件として設定する設定手段と
を備えたことを特徴とするカメラ装置。
【請求項９】
前記表示手段は、撮影条件記憶手段に記憶されている撮影条件に対応した見本画像と付加情報とを同一画面上に表示することを特徴とする請求項８記載のカメラ装置。
【発明の詳細な説明】
【０００１】
【発明の属する技術分野】
本発明は、カメラ装置に関する。
【０００２】
【従来の技術】
従来、例えば電子スチルカメラにおいては、シャッタースピード、絞り値といった装置側における各種の撮影条件を自動的に設定したり、又は撮影者の好みに応じて手動で設定したりできるようになっている。さらには、例えばポートレート、風景、夜景といった被写体の種別に適した撮影条件を自動的に設定する複数の撮影モードを用意しておき、かかる撮影モードを事前に撮影者に選択させることにより、シャッタースピード、絞り値等の専門的な知識を有していない初心者等であっても、より適切な撮影条件が設定できるようにしたものが多い。
【０００３】
【発明が解決しようとする課題】
しかしながら、前述した複数の撮影モードに応じて撮影条件を自動的に設定するものでは、一般に撮影モードの数が少ないため、予め被写体の種別毎に用意する撮影条件の設定内容が最大公約数的なものとなる。したがって、全ての被写体に合致する撮影条件を設定することは不可能であり、また撮影者の好みに応じ撮影結果が得られるとは限らない。かかることから、より多くの撮影モードを用意することが考えられるが、その場合には、各撮影モードの違いが分かりにくくなり、特に初心者等に対しては撮影モードの設定に混乱を生じさせるという問題があった。
【０００４】
本発明は、かかる従来の課題に鑑みてなされたものであり、被写体に応じたより適切な撮影条件を容易に設定することができるカメラ装置を提供することを目的とする。
【０００５】
【課題を解決するための手段】
前記課題を解決するために請求項１の発明にあっては、被写体の種別に応じた複数の撮影モードが設定可能なカメラ装置であって、前記撮影モード毎に応じて撮影時における装置の撮影条件を制御する制御手段と、前記撮影モードに対応する被写体の見本となる複数の見本画像を記憶する見本画像記憶手段と、この見本画像記憶手段に記憶された見本画像を表示する表示手段と、この表示手段に表示されたいずれかの前記見本画像を選択する選択手段と、この選択手段により選択された見本画像に対応する撮影モードを設定する設定する設定手段とを備えたものとした。
【０００６】
かかる構成においては、表示手段に表示されたいずれかの見本画像が選択されると、見本画像によって表された被写体の種別に応じた撮影モードが自動的に設定される。したがって、使用者は、被写体の種別を直感的に理解することができる見本画像を介して、被写体の種別に応じた撮影モードの選択ができる。
【０００７】
また、請求項２の発明にあっては、使用者の要求に応じ、前記表示手段における前記複数の見本画像の表示順を前記選択手段により過去に選択された履歴順に制御する表示制御手段とを備えたものとした。かかる構成において、使用者は必要に応じて複数の見本画像の表示順を履歴順に変更できる。
【０００８】
また、請求項３の発明にあっては、前記撮影モードに対応する撮影条件の内容を説明する複数の説明情報を記憶する記憶手段と、前記見本画像に対応する説明情報を前記記憶手段から読み出し前記見本画像と共に前記表示手段に表示させる制御手段とを備えたものとした。かかる構成においては、見本画像の選択に際しては、撮影条件の内容を説明する説明情報が表示されるため、被写体に応じた撮影結果を容易に知ることができる。
【０００９】
また、請求項４の発明にあっては、前記見本画像記憶手段に記憶された各見本画像により表わされる被写体の撮影に適した撮影操作を教えるアドバイス情報を記憶する記憶手段と、前記見本画像に対応するアドバイス情報を前記記憶手段から読み出し前記表示手段に表示させる制御手段とを備えたものとした。かかる構成において、使用者は表示手段に表示するアドバイス情報に従った撮影操作を行うことにより、選択した撮影モードで制御される撮影条件の下で理想的な撮影結果を得ることができる。
【００１０】
また、請求項５の発明にあっては、さらに、被写体を撮像する撮像手段と、この撮像手段により撮影待機状態で撮像されたスルー画像を表示する表示手段と、前記選択手段により選択された見本画像が所定の見本画像であるとき、前記スルー画像内に、前記選択手段により選択された見本画像に対応する被写体の撮影に適する画面構成を示すフレーム画像を表示させる制御手段とを備えたものとした。かかる構成において、使用者は、フレーム画像に従ったフレーミングを行うことにより、選択した撮影モードで制御される撮影条件の下で理想的な撮影結果を得ることができる。
【００１１】
また、請求項６の発明にあっては、オートフォーカス機能を備え、前記制御手段は、前記フレーム画像により示されるスルー画像の所定領域内にフォーカス位置を設定するとともに、設定したフォーカス位置を示すフォーカスマークを前記スルー画像に表示させるものとした。かかる構成においては、使用者が、フレーム画像に従ったフレーミングを行うことにより、選択した撮影モードで制御される撮影条件の下で理想的なフォーカス状態の撮影結果を得ることができる。
【００１２】
また、請求項７の発明にあっては、被写体内に設定された測光位置をスポット測光し、その測光結果に基づき露出制御を行う自動露出制御機能を備え、前記制御手段は、前記フレーム画像により示されるスルー画像の所定領域内に前記測光位置を設定するものとした。かかる構成においては、使用者が、フレーム画像に従ったフレーミングを行うことにより、選択した撮影モードで制御される撮影条件の下で理想的な露出状態の撮影結果を得ることができる。
さらに請求項８の発明にあっては、  撮影した画像を画像データとして記録する画像記憶手段と、撮影条件と撮影条件に対応した見本画像と撮影条件に対応したシーン説明またはアドバイス情報または制御説明を含む付加情報とを記憶する撮影条件記憶手段と、撮影条件に対応した付加情報と撮影条件に対応した見本画像とを表示する表示手段と、この撮影条件記憶手段に記憶されている撮影条件であって、前記表示手段に表示された見本画像および付加情報に対応する撮影条件を、使用者の要求に応じ装置の撮影条件として設定する設定手段とを備えるものとした。かかる構成においては、使用者は表示手段に表示される情報に従った撮影操作を行うことにより、選択した撮影モードで制御される撮影条件の下で理想的な撮影結果を得ることができる。
【００１３】
【発明の実施の形態】
以下、本発明の一実施の形態を図にしたがって説明する。図１は、本発明にかかる電子スチルカメラ１の外観を示す図であって、同図（ａ）は背面図、同図（ｂ）は平面図、同図（ｃ）は正面図である。
【００１４】
電子スチルカメラ１は、正面側に固定レンズ４、背面側にＴＦＴ液晶モニタ１８を有し、さらに光学ファインダ５１とストロボ１９とを有している。また、電子スチルカメラ１の背面部及び上面部には、電源スイッチ５２、シャッターキー５３、ズーム操作スイッチ５４、録画モード（ＲＥＣモード）と再生モード（ＰＬＡＹモード）の切り替え行う動作モード切り替えスイッチ５５、液晶モニタ・スイッチ５６、フラッシュ・キー５７、セルフタイマ・キー５８、メニュー・キー５９の各種スイッチが設けられている。
【００１５】
図２は、前記電子スチルカメラ１の電気的構成の概略を示すブロック構成図であり、電子スチルカメラ１は、撮像手段であるＣＣＤ２により撮像した画像をＪＰＥＧ形式に変換する等の画像処理機能を備えたＭＰＵ３を中心に構成されている。ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００１６】
また、ＭＰＵ３には、タイミング信号を発生するＴＧ（Ｔｉｍｍｉｎｇ  Ｇｅｎｅｒａｔｅｒ）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ２の出力信号は、ここで黒レベルを合わせてサンプリングされデジタル信号としてＭＰＵ３に送られる。送られたデジタル信号（撮像信号）はＤＲＡＭ１３に一時保存されるとともに、ＭＰＵ３によって各種の画像処理が施された後、最終的には圧縮された映像信号としてフラッシュメモリ（ＦＬＡＳＨ）１４に保存される。保存された映像信号は、必要に応じてＭＰＵ３に読み出され、伸長処理、輝度信号及び色信号の付加等の処理を経てデジタルビデオ信号やアナログビデオ信号に生成される。
【００１７】
さらに、ＭＰＵ３にはＭＲＯＭ１５と、電源回路１６、図１に示した各種のスイッチ群を含む操作キー部１７、前記ＴＦＴ液晶モニター１８、前記ストロボ１９が接続されている。ＭＲＯＭ１５は、ＭＰＵ３の動作プログラムが記録されたプログラムＲＯＭである。また、ＭＲＯＭ９には撮影時の適正な露出値（ＥＶ）に対応する絞り値（Ｆ）とシャッタースピードとの組み合わせを示すプログラム線図を構成するプログラムＡＥデータが格納されている。ＭＰＵ３は、内蔵するＲＡＭをワーキングメモリとして前記動作プログラムに従い動作することにより本発明の設定手段、制限手段、表示制御手段として機能する。また、前記プログラム線図に従って前記ＣＣＤ２の電荷蓄積時間や、前記絞り６の開放度、前記ユニット回路１２のゲイン調整アンプ（ＡＧＣ）のゲイン設定等を行う。ＭＰＵ３が設定した電荷蓄積時間はシャッターパルスとして、ＴＧ１０を介してＶドライバー１１に供給され、これに従いＶドライバー１１がＣＣＤ２を駆動することにより電荷蓄積時間すなわち露光時間が制御される。つまりＣＣＤ２は電子シャッターとして機能する。また、ＭＲＯＭ９に格納された動作プログラムには、オートフォーカス制御に関するプログラムが含まれており、かかるプログラムに基づきＭＰＵ３は、前記フォーカスレンズ５を駆動させピント合わせ（オートフォーカス）を行う。
【００１８】
ＴＦＴ液晶モニター１８は、録画モードにおいては逐次撮像された画像をスルー画像として表示し、再生モードにおいては前記フラッシュメモリ１４に記録された画像データから生成されたアナログビデオ信号に基づく映像を表示する。ストロボ１９は、映像取り込みキーの操作時（撮影時）に必要に応じて駆動され補助光を発する。
【００１９】
また、ＭＲＯＭ１５は本発明の見本画像記憶手段および記憶手段であって、前述したデータとは別に、図３及び図４に示した撮影条件データ１０１、図５に示した付加情報データ１０２、図６（ａ）〜（ｃ）に例示したような複数の見本画像１０３を構成する画像データが記憶されている。なお、この図において各見本画像１０３を模式的な画像として示しているが、実際には現実に撮影された画像若しくはそれに準じた画像である。前記撮影条件データ１０１は、後述するシーンセレクトモードの設定時に選択可能な複数のシーン撮影モード（本実施の形態では２９種類）の各々に対応して予め設定されている電子スチルカメラ１の撮影条件を示すデータであって、より具体的には、図示したような以下のデータから構成されている。すなわち、フォーカス制御、シャッター速度、絞り、ＥＶシフト量、感度、・・・といった電子スチルカメラ１において制御可能な複数の制御項目の制御内容を示すパラメータにより構成されている。
【００２０】
前記付加情報データ１０２（図５）は、撮影条件データとともに上記シーン撮影モードに対応して記憶されている付加情報データであり、具体的には、「風景と人物を写します。」といったシーン説明、「ズームを使うと背景がキレイにボケます。」といったアドバイス情報、「マクロモードになり、彩度が高めに設定されます。」といった制御説明の３種類のコメントデータによって構成されている。図６に示した複数の見本画像１０３は、前記撮影条件データ、前記付加情報データと共に各シーン撮影モードに対応するとともに、各シーン撮影モードでの撮影に適した被写体の見本となる画像である。なお、図６（ａ）は、シーン撮影モードの「１」（人と風景１）に対応する見本画像、同図（ｂ）は、シーン撮影モードの「２」（人と風景２）に対応する見本画像、同図（ｃ）は、シーン撮影モードの「３」（アップ）に対応する見本画像の例である。
【００２１】
また、前述したＭＲＯＭ１５に記憶されているプログラムデータ等は、その記録内容の保持が可能であれば、別途固定的に設けたもの、若しくは脱着自在に装着可能なＩＣカード等の他の記録媒体に記録される構成にしてもよく、更に、前記プログラムデータ等をパソコン等の他の機器から供給可能な構成としてもよい。また、前記ＤＲＡＭ１３には、前述した撮像時におけるデジタル信号の記憶領域とは別に、図７に示した選択履歴順データ１０４を記憶する領域が確保されている。選択履歴テーブル１０４は、後述するシーンセレクトモードの設定時における前述した見本画像１０３及び付加情報データ１０２（各コメントデータ）の表示順を示すテーブルであって、表示順位データ（本実施の形態では１番〜２９番）と、その順位に対応する撮影モードのシーン番号とから構成されている。なお、電子スチルカメラ１の使用開始当初や電池交換直後においては、表示順位データとシーン番号とは一致している。
【００２２】
次に、以上の構成からなる電子スチルカメラ１において、前述したメニュー・キー５９の操作によりモード選択が指定された後の動作を図８のフローチャートに従って説明する。
【００２３】
すなわち、電子スチルカメラ１にあっては撮影モードの設定モードが選択されると、先ず、ＴＦＴ液晶モニター１８に図９に示したようなモード選択画面２０１を表示する（ステップＳ１）。モード選択画面２０１は、撮影者に従来技術で説明したと同様の「通常（フルオート）」、「ポートレート」、「風景」、「夜景」の３つの撮影モードと、本発明に係る撮影モードを指定するためのシーンセレクトモードと、所定の機能設定モードとのいずれかを選択させるための画面であって、これらの選択候補を示す表示するとともに、この画面を表示した状態において所定の操作に割り当てられているキーの説明を同時に表示する。
【００２４】
次に、機能設定モードが選択され、かつ所定のキー操作によって表示順の切り替え操作が行われたか否かを判別し（ステップＳ２）、表示順の切り替え操作が行われていなければ、引き続きシーンセレクトモードが選択されたか否かを判別する（ステップＳ３）。ここで、シーンセレクトモードが選択されなければ（ステップＳ３でＮＯ）、ステップＳ１へ戻って他のモードが選択されれば、そのモードの動作に移行する。一方、シーンセレクトモードが選択されていたときには、ＴＦＴ液晶モニター１８の表示を、図１０に示したシーンセレクト選択画面２０２へ切り替える（ステップＳ４）。
【００２５】
図１０は、初期設定状態におけるシーンセレクト選択画面２０２を示したものであり、ここで表示されるシーンセレクト選択画面２０２には、撮影モードのシーン番号「１」と、これに対応する見本画像１０３、付加情報つまりシーン説明（「風景と人物を写します。」）、アドバイス情報（「フレームが表示されます。」）を表示する。なお、対応する制御説明が存在するシーン番号の見本画像１０３を表示する場合には、その制御説明も表示する。また、シーンセレクト選択画面２０２にも、所定の操作に割り当てられているキーの説明も引き続き表示する。しかる後、選択ボタン（本実施の形態では、ズームボタン５４の［＋］と［−］）の操作に応じて、シーンセレクト選択画面２０２を構成するシーン番号「１」と見本画像１０３と付加情報とをシーン番号順に昇順又は降順に変更しながら変更、つまり送り表示を行う（ステップＳ５）。
【００２６】
一方、その間に、いずれかの見本画像１０３等が表示された状態、つまりいずれかの撮影モードが選択されている状態でシャッターキー５３（決定キー）が押されると（ステップＳ６でＹＥＳ）、先ず、前述した選択履歴テーブル１０４におけるシーン番号データの並び順を、ここで選択されている見本画像１０３が対応するシーン番号を表示順位の１番に対応する位置へ繰り上げるとともに、他のシーン番号を、それ以前の並び順を維持した状態で順次繰り下げる、選択履歴テーブル１０４の更新処理を行う（ステップＳ７）。次に、電子スチルカメラ１における撮影時の撮影条件を、選択された見本画像１０３が対応するシーン番号に応じて設定されているパラメータに基づき設定するとともに、ＲＥＣモードに移行しＴＦＴ液晶モニター１８にスルー画像を表示する（ステップＳ８）。つまり撮影待機状態となる。
【００２７】
つまり、撮影者によって、これから撮影しようとする被写体に対応する見本画像１０３が選択されると、その被写体の撮影に適した撮影条件が自動的に設定されることとなる。よって、従来よりも撮影条件が細かく設定された撮影モードが図３及び図４に示したように多数存在する場合であっても、撮影モードの設定に混乱を生じることなく、誰もが被写体により適切な撮影条件を容易に設定することが可能となる。同時に、撮影者の好みに応じた撮影結果を簡単に得ることができる。
【００２８】
引き続き、選択されたシーン番号に対応して設定されたフォーカスモードがエリア特定か否かを判別し（ステップＳ９）、かかる判別の結果がＮＯであったときには、フォーカスエリアの移動がなく、図１１に示すようにフォーカスマーク２０３がスルー画像３０１の中央部に表示する。これに対し、例えば選択されたシーンの番号が「１」〜「６」であって被写体に人物が含まれるシーンが選択されていたときには（ステップＳ９でＹＥＳ）、図１２に示すように、当該シーンに適した人物の配置を示すフレーム画像２０４をスルー画像３０１内に表示するとともに、フォーカスエリアを前記フレーム画像２０４に対応する所定領域内に移動し、かつその領域内にフォーカスマーク２０３を表示する（ステップＳ１０）。したがって、撮影者にあっては、フレーム画像２０４に対応する位置に人物等を配置するフレーミングを行うだけで、自己が選択したシーンに対応した適切な撮影条件の下で理想的な撮影結果を得ることが可能となる。なお、図１２に示したスルー画像３０１の例は、選択されたシーン番号が「２」であって、そのシーンが「人物と風景２」の場合である。
【００２９】
また、前述したステップＳ９の判別の結果がＮＯであったとき、またステップＳ１０の処理が終了した後は、選択されたシーン番号に対応して設定された測光方式がスポット測光（マルチ）であるか否かを判別する（ステップＳ１１）。そして、選択されたシーン番号が「１」等であって、かかる判別の結果がＹＥＳであったときには、スルー画像３０１内におけるスポット測光位置を選択されたシーンに対応して設定されている位置に移動する（ステップＳ１２）。例えば、選択されたシーン番号が「１」の場合には、スポット測光位置を前記フレーム画像２０４に対応する所定領域内に移動する。したがって、撮影者にあっては、フレーム画像２０４に対応する位置に人物を配置するフレーミングを行うだけで、自己が選択したシーンに対応した適切な撮影条件の下で理想的な露出状態の撮影結果を得ることが可能となる。
【００３０】
そして、シャッターキー５３が押されるまで前述したスルー画像３０１の表示状態を維持するとともに（ステップＳ１３でＮＯ）、その間に、シャッターキー５３が押されれば（ステップＳ１３でＹＥＳ）、前述したステップＳ８で設定された撮影条件下での撮像を行うとともに、撮像した画像を記録する（ステップＳ１４）。しかる後、シーンセレクトモードが解除されるまで（ステップＳ１５でＮＯ）、前述したステップＳ４以降の動作を繰り返し行うとともに、シーンセレクトモードが解除された場合にはステップＳ１へ戻る。
【００３１】
一方、以上の動作中において、シーンセレクトモードが選択されるいずれかの時点で、機能設定モードが選択され、かつ所定のキー操作によって表示順の切り替え操作が行われると（ステップＳ２でＮＯ）、シーンセレクトモードが選択された後のステップＳ５における見本画像１０３及び、それに対応する付加情報の表示順をシーン番号順（デフォルト順）から、前述したステップＳ７で逐次拘引される選択履歴テーブル１０４によって示される履歴順に切り替える（ステップＳ１６）。したがって、撮影者は、必要に応じてシーンセレクトモードの選択状態における見本画像１０３等の表示順を履歴順に切り替えることができ、それにより、シーンセレクトモードで撮影モードを選択する際には、自分が頻繁に使用する撮影モードを直ちに選択することができ、使い勝手がよい。
【００３２】
なお、本実施の形態においては、シーンセレクトモードで撮影モードが選択されたとき、選択された撮影モードに応じて前記フレーム画像２０４を表示させるとともに、フォーカスエリアを前記フレーム画像２０４に対応する所定領域内に移動し、かつその領域内にフォーカスマーク２０３を表示する場合について説明したが、例えば図９に示したモード選択画面２０１から従来技術で説明したと同様の撮影モードである「ポートレート」が選択された場合においても同様の処理を行うようにしてもよい。その場合であっても、そうした撮影モード下で理想的な露出状態の撮影結果を得ることが可能となる。
【００３３】
また、本実施の形態においては、前述した撮影条件データ１０１、付加情報データ１０２、複数の見本画像１０３を構成する画像データがＭＲＯＭ１５に記憶されている場合について説明したが、それらの互いの対応する各データを、例えばパソコン等の他の装置から受け取り記憶手段に記憶したり、或いはインターネット等の通信手段を介して他の機器から受信し記憶手段に記憶したりする構成としてもよい。そのような構成とすれば、シーンセレクトモードで使用できる撮影モードを容易に更新することができ、特に、インターネット等の通信手段を利用する場合には、その時々に流行している撮影方法での撮影が可能となる撮影モードを、いち早く装置で使用することができる。
【００３４】
【発明の効果】
以上説明したように請求項１記載の発明においては、使用者は、被写体の種別を直感的に理解することができる見本画像とこの見本画像に対応する説明情報とを介して、被写体の種別に応じた撮影モードの選択ができるようにした。よって、撮影モードの種類が多数存在する場合であっても、撮影モードの設定に混乱を生じることなく、誰もが被写体により適切な撮影条件を容易に設定することが可能となる。同時に、撮影者の好みに応じ撮影結果を簡単に得ることができる。
【００３５】
また、請求項２記載の発明においては、複数の見本画像の表示順を使用者が必要に応じて履歴順に変更できるようにしたことから、見本画像の表示順を履歴順に変更することにより、使用者は頻繁に使用する被写体の種別に対応する撮影モードを直ちに選択することができ、使い勝手を向上させることができる。
【００３６】
また、請求項３記載および請求項８の発明においては、見本画像の選択に際しては、見本画像の選択に際しては、撮影条件の内容を説明する説明情報が同一画面上に表示されるため、被写体に応じた撮影結果を容易に知ることができるようにしたことから、その設定に混乱を生じることなくことなく、より多くの撮影モードを設けることができる。
【００３７】
また、請求項４記載の発明においては、各見本画像に対応した、シーン説明またはアドバイス情報または制御説明を含む情報に従った撮影操作を行うことにより、選択した撮影モードで制御される撮影条件の下で理想的な撮影結果を得ることができる。
【００３８】
また、請求項５記載の発明においては、使用者はフレーム画像に従ったフレーミングを行うことにより、選択した撮影モードで制御される撮影条件の下で理想的なフォーカス状態や露出状態での撮影結果を得ることができる。
【図面の簡単な説明】
【図１】本発明の一実施の形態に係る電子スチルカメラの外観を示す図である。
【図２】同電子スチルカメラのブロック構成図である。
【図３】プログラムＲＯＭに記録されている撮影条件データを示す概念図である。
【図４】図３の下に続く図である。
【図５】プログラムＲＯＭに記録されている付加情報データを示す概念図である。
【図６】プログラムＲＯＭに記録されている見本画像を示す図である。
【図７】ＤＲＡＭに記録される選択履歴テーブルを示す概念図である。
【図８】シーンセレクトモードを用いた撮影時における電子スチルカメラの動作を示すフローチャートである。
【図９】モードの選択画面を示す図である。
【図１０】シーンセレクト選択画面、及びその変化を示す図である。
【図１１】通常時のスルー画像の画面構成を示す図である。
【図１２】特定のシーンが選択された後のスルー画像の画面構成を示す図である。
【符号の説明】
１    電子スチルカメラ
２    ＣＣＤ
３    ＭＰＵ
１３    ＤＲＡＭ
１５    ＭＲＯＭ
１０１    撮影条件データ
１０２    付加情報データ
１０３    見本画像
１０４    選択履歴テーブル
２０２    シーンセレクト選択画面
２０４    フレーム画像
３０１    スルー画像
【図１】
0003543135.tif 000002
【図２】
0003543135.tif 000003
【図３】
0003543135.tif 000004
【図４】
0003543135.tif 000005
【図５】
0003543135.tif 000006
【図６】
0003543135.tif 000007
【図７】
0003543135.tif 000008
【図９】
0003543135.tif 000009
【図８】
0003543135.tif 000010
【図１０】
0003543135.tif 000011
【図１１】
0003543135.tif 000012
【図１２】
0003543135.tif 000013